(57)【要約】【課題】複数段のノイズ除去フィルタを適用した際に、外部から流入するサージをより効果的に抑制し得る電源装置を提供する。【解決手段】外部電源に受電可能に接続された入力部Ｃｕ、Ｃｄと、前記入力部Ｃｕ、Ｃｄから通ずる電力ラインＬｕ、Ｌｄとアース間に接続されたアレスタ部１と、前記アレスタ部１の接続位置よりも後段の前記電力ラインＬｕ、Ｌｄ中に配設された第１のノイズ除去フィルタ２と、前記第１のノイズ除去フィルタ２の後段の前記電力ラインＬｕ、Ｌｄ中に配設された第２のノイズ除去フィルタ３と、前記電力ラインＬｕ、Ｌｄにおいて前記第１及び第２のコイルと並列接続するように、一端が前記第１のコイルの前段側に接続され、他端が前記第２のコイルの後段側に接続され、前記第２のコイルの後段側に流入した前記サージを前記第１のコイルの前段側に帰還させるサージアブソーバ５ｕ、５ｄと、を備える。【選択図】図１
2019047699.tif 000002
【特許請求の範囲】
【請求項１】
外部電源に受電可能に接続された入力部と、
前記入力部から通ずる電力ラインとアース間に接続され、前記入力部から流入したサージをアースに排出するアレスタ部と、
前記アレスタ部の接続位置よりも後段の前記電力ライン中に配設され、少なくとも前記電力ライン中に直列接続する第１のコイルを含んで構成される第１のノイズ除去フィルタと、
前記第１のノイズ除去フィルタの後段の前記電力ライン中に配設され、少なくとも前記電力ライン中に直列接続する第２のコイルを含んで構成される第２のノイズ除去フィルタと、
前記電力ラインにおいて前記第１及び第２のコイルと並列接続するように、一端が前記第１のコイルの前段側に接続され、他端が前記第２のコイルの後段側に接続され、前記第２のコイルの後段側に流入した前記サージを前記第１のコイルの前段側に帰還させるサージアブソーバと、
を備える電源装置。
【請求項２】
前記第１のノイズ除去フィルタ及び前記第２のノイズ除去フィルタは、共に、ＬＣフィルタである
請求項１に記載の電源装置。
【請求項３】
前記第１のノイズ除去フィルタ及び前記第２のノイズ除去フィルタは、前記第１のコイルの共振周波数の方が前記第２のコイルの共振周波数よりも大きくなるように、構成されている
請求項１に記載の電源装置。
【請求項４】
前記第２のノイズ除去フィルタの後段の前記電力ライン中に配設され、前記外部電源から受電した電力の電力変換を行う電力変換回路、を更に備え、
前記電力変換装置は、アースに対して絶縁されている
請求項１に記載の電源装置。
【請求項５】
前記サージアブソーバは、アレスタ素子を含んで構成される
請求項１に記載の電源装置。
【発明の詳細な説明】
【技術分野】
【０００１】
本開示は、電源装置に関する。
【背景技術】
【０００２】
従来、外部電源（例えば、商用交流電源）から受電して、当該電力の電力変換等を行ってバッテリや負荷装置に供給する電源装置が知られている。
【０００３】
この種の電源装置には、一般に、落雷や電力系統の事故に起因して発生する高電圧のサージ（以下、「サージ」と略称する）が、外部電源側から当該電源装置の内部回路に流入することを防止するため、外部電源との接続部にアレスタ等が設けられている。
【０００４】
一方、この種の電源装置においては、当該電源装置内から発生する高周波ノイズ（例えば、電力変換に起因して発生するスイッチングノイズ）が外部電源側へ伝播するのを阻止するため、外部電源との接続部にノイズ除去フィルタを設ける要請がある。但し、かかるノイズ除去フィルタは、電源装置内にサージが流入した際に、当該サージに共振状態を発生させ、これによって、当該サージを外部電源との接続部に設けられたアレスタを通過させ、内部回路側に流入させ、内部回路側に異常電圧を誘起することが問題点として知られている。
【０００５】
このような背景から、例えば、特許文献１においては、ノイズ除去フィルタと並列接続するようにサージアブソーバを設け、共振が発生した際に、当該サージアブソーバに異常電圧をクランプさせる等の対策がなされている。
【先行技術文献】
【特許文献】
【０００６】
【特許文献１】特開２００６−０６７４４０号公報
【発明の概要】
【発明が解決しようとする課題】
【０００７】
ところで、近年、かかる電源装置においては、ノイズ対策の強化のため、複数段のノイズ除去フィルタを直列に設ける構成が検討されている。
【０００８】
しかしながら、複数段のノイズ除去フィルタは、これらを構成するコイルとコンデンサの間でのエネルギの授受により、共振作用によって流入するサージを長時間に亘って滞留させるおそれがある。そして、かかるサージの長時間滞留は、電源装置内の内部回路への過電圧の印加時間の増大につながり、内部回路の破損を誘因するおそれがある。
【０００９】
この点、特許文献１等に係る従来技術には、かかるサージの長時間滞留を解消するために効果的な構成については何ら開示されていない。
【００１０】
本開示は、上記の問題点に鑑みてなされたもので、ノイズ除去フィルタにおけるサージの長時間滞留をより効果的に抑制し得る電源装置を提供することを目的とする。
【課題を解決するための手段】
【００１１】
前述した課題を解決する主たる本開示は、
外部電源に受電可能に接続された入力部と、
前記入力部から通ずる電力ラインとアース間に接続され、前記入力部から流入したサージをアースに排出するアレスタ部と、
前記アレスタ部の接続位置よりも後段の前記電力ライン中に配設され、少なくとも前記電力ライン中に直列接続する第１のコイルを含んで構成される第１のノイズ除去フィルタと、
前記第１のノイズ除去フィルタの後段の前記電力ライン中に配設され、少なくとも前記電力ライン中に直列接続する第２のコイルを含んで構成される第２のノイズ除去フィルタと、
前記電力ラインにおいて前記第１及び第２のコイルと並列接続するように、一端が前記第１のコイルの前段側に接続され、他端が前記第２のコイルの後段側に接続され、前記第２のコイルの後段側に流入した前記サージを前記第１のコイルの前段側に帰還させるサージアブソーバと、
を備える電源装置である。
【発明の効果】
【００１２】
本開示に係る電源装置によれば、ノイズ除去フィルタにおけるサージの長時間滞留をより効果的に抑制することができる。
【図面の簡単な説明】
【００１３】
【図１】一実施形態に係る電源装置の構成の一例を示す図
【図２】一実施形態に係る電源装置のサージの排出動作について説明する図
【図３】図２中の各位置における電圧の時間的変化を説明する図
【図４】図２中の各位置における電圧の時間的変化を説明する図
【図５】図２中の各位置における電圧の時間的変化を説明する図
【発明を実施するための形態】
【００１４】
以下に添付図面を参照しながら、本開示の好適な実施形態について詳細に説明する。尚、本明細書及び図面において、実質的に同一の機能を有する構成要素については、同一の符号を付することにより重複説明を省略する。
【００１５】
［電源装置の構成］
以下、図１を参照して、一実施形態に係る電源装置の構成の一例について説明する。
【００１６】
図１は、本実施形態に係る電源装置Ａの回路ブロック図である。
【００１７】
本実施形態に係る電源装置Ａは、例えば、電気自動車やハイブリッド車輌等に搭載される車載電源装置であって、バッテリや負荷装置と共に車載される。
【００１８】
本実施形態に係る電源装置Ａは、入力部Ｃｕ及びＣｄ、電力ラインＬｕ及びＬｄ、アレスタ部１、第１のノイズ除去フィルタ２、第２のノイズ除去フィルタ３、電力変換回路４、並びに、サージアブソーバ５ｕ及び５ｄを備えている。
【００１９】
入力部Ｃｕ及びＣｄには、例えば、外部電源Ｓとして、商用交流電源（１００Ｖ、６０Ｈｚの単相交流電源）が接続されており、電源装置Ａは、当該入力部Ｃｕ及びＣｄを介して当該商用交流電源から受電可能に構成されている。
【００２０】
入力部Ｃｕ及びＣｄは、例えば、外部電源Ｓの接続プラグが接続されるコネクタである。
【００２１】
入力部Ｃｕ及びＣｄには、それぞれ、内部回路に通ずる正極側の電力ラインＬｕ及び負極側の電力ラインＬｄが接続されている。電力ラインＬｕ及びＬｄには、入力部Ｃｕ及びＣｄから後段側（入力部Ｃｕ及びＣｄを基準として内部回路側を表す。以下同じ）に向かって、順に、アレスタ部１、第１のノイズ除去フィルタ２、第２のノイズ除去フィルタ３、及び、電力変換回路４に接続されている。
【００２２】
尚、以下では、入力部Ｃｕ及びＣｄ、電力ラインＬｕ及びＬｄ、サージアブソーバ５ｕ及び５ｄについて、正極側の構成か負極側の構成かを特に区別しない場合には、「入力部Ｃ」、「電力ラインＬ」、「サージアブソーバ５」等と略称して説明する。
【００２３】
アレスタ部１は、電力ラインＬｕとアース間及び電力ラインＬｄとアース間に接続され、入力部Ｃｕ又はＣｄからサージが流入した際に放電動作を行い、当該サージをアースに排出する。アレスタ部１は、電力ラインＬｕから分岐して、酸化亜鉛又は炭化水素等の特性要素を介してアースに接続される接地ラインを構成すると共に、電力ラインＬｄから分岐して、酸化亜鉛又は炭化水素等の特性要素を介してアースに接続される接地ラインを構成する。
【００２４】
本実施形態に係るアレスタ部１は、電力ラインＬｕとアース間には、アレスタ素子１ａｕとバリスタ素子１ｂｕとが直列に接続されて構成されている。又、電力ラインＬｄとアース間には、アレスタ素子１ａｄとバリスタ素子１ｂｄとが直列に接続されて構成されている。
【００２５】
アレスタ素子１ａｕ及び１ａｄは、それぞれ、例えば、酸化亜鉛又は炭化水素等の特性要素であって、電力ラインＬｕに所定の放電開始電圧以上の電圧が印加された場合に、略無抵抗になって放電を開始し、その後、当該放電開始電圧以下の電圧となった場合に放電を終了する。バリスタ素子１ｂｕ及び１ｂｄは、アレスタ素子１ａｕ及び１ａｄが放電を開始した際の抵抗値の調整のために設けられている。
【００２６】
第１のノイズ除去フィルタ２は、アレスタ部１の接続位置の後段の電力ラインＬ中に配設され、内部の電力変換回路４等から発生する高周波ノイズが外部電源Ｓ側へ伝播するのを阻止する。
【００２７】
第１のノイズ除去フィルタ２は、例えば、ＬＣフィルタであって、本実施形態に係る第１のノイズ除去フィルタ２は、電力ラインＬｕ及びＬｄ中に直列に接続されるコモンモードコイル２ｌ（以下、「第１のコイル２ｌ」と称する）、コモンモードコイル２ｌの前段において電力ラインＬｕと電力ラインＬｄ間に接続されるコンデンサ２ｃａ、並びに、コモンモードコイル２ｌの後段において電力ラインＬｕと電力ラインＬｄ間に接続されるコンデンサ２ｃｂを含んで構成される。
【００２８】
第２のノイズ除去フィルタ３は、第１のノイズ除去フィルタ２の後段の電力ラインＬ中に配設され、第１のノイズ除去フィルタ２と同様に、内部の電力変換回路４等から発生する高周波ノイズが外部電源Ｓ側へ伝播するのを阻止する。
【００２９】
第２のノイズ除去フィルタ３は、例えば、ＬＣフィルタであって、本実施形態に係る第２のノイズ除去フィルタ３は、電力ラインＬｕ及びＬｄ中に直列に接続されるコモンモードコイル３ｌ（以下、「第２のコイル３ｌ」と称する）、コモンモードコイル３ｌの前段において電力ラインＬｕと電力ラインＬｄ間に接続されるコンデンサ２ｃｂ、並びに、コモンモードコイル３ｌの後段において電力ラインＬｕと電力ラインＬｄ間に接続されるコンデンサ３ｃａを含んで構成される。尚、コンデンサ２ｃｂは、第１のノイズ除去フィルタ２と第２のノイズ除去フィルタ３とで共用されている。
【００３０】
尚、ここでは、図示を省略するが、本実施形態に係る第１のノイズ除去フィルタ２、及び第２のノイズ除去フィルタ３は、コモンモードノイズの対策として、更に、電力ラインＬｕとアース間に接続されたコンデンサ、及び電力ラインＬｄとアース間に接続されたコンデンサ等も有している。
【００３１】
本実施形態に係る電源装置Ａにおいては、上記したように、第１のノイズ除去フィルタ２と第２のノイズ除去フィルタ３の２段階のノイズ除去フィルタを設けることによって、内部の電力変換回路４等から発生する高周波ノイズのノイズ除去機能を強化している。
【００３２】
尚、第１のノイズ除去フィルタ２及び第２のノイズ除去フィルタ３のフィルタ構成は、任意であって、種々に変形されてもよい。
【００３３】
但し、より好適には、第１のノイズ除去フィルタ２及び第２のノイズ除去フィルタ３は、第１のコイル２ｌの共振周波数の方が第２のコイル３ｌの共振周波数よりも大きくなるように、構成される。これによって、第１のノイズ除去フィルタ２に流入したサージを、より早期に第２のノイズ除去フィルタ３側に向かわせることができる（詳細は後述）。
【００３４】
一般に、ノイズ除去フィルタの共振周波数は、コイルのインダクタンスとコンデンサの静電容量の積に比例する。従って、例えば、第２のノイズ除去フィルタ３のコイルのインダクタンス（ここでは、第２のコイル３ｌのインダクタンス）とコンデンサの静電容量（ここでは、コンデンサ３ｃａ及び２ｃｂの静電容量の合成）の積の方が、第１のノイズ除去フィルタ２のコイルのインダクタンス（ここでは、第１のコイル２ｌのインダクタンス）とコンデンサの静電容量（ここでは、コンデンサ２ｃａ及び２ｃｂの静電容量の合成）の積よりも大きくなるようにすればよい。
【００３５】
電力変換回路４は、第２のノイズ除去フィルタ３の後段に配設され、入力部１から受電する電力の電力変換を行う。電力変換回路４は、例えば、ＡＣ／ＤＣ変換回路とＤＣ／ＤＣ変換回路によって構成され、外部電源Ｓから入力される交流電力を直流電力に変換すると共に、所望の電圧に電圧変換して、後段に設けられた負荷装置（図示せず）に送出する。尚、本実施形態に係る電力変換回路４は、アースに対して絶縁された状態で配設されている。
【００３６】
サージアブソーバ５は、共振等に起因して、サージがアレスタ部１を通過して第２のノイズ除去フィルタ３側に流入した場合に、当該サージをアースに排出するべく配設されている。
【００３７】
サージアブソーバ５ｕは、電力ラインＬｕにおいて第１のコイル２ｌ及び第２のコイル３ｌに並列接続するように、一端と他端がそれぞれ第１のコイル２ｌの前段側と第２のコイル３ｌの後段側に接続されている。又、同様に、サージアブソーバ５ｄは、電力ラインＬｄにおいて第１のコイル２ｌ及び第２のコイル３ｌに並列接続するように、一端と他端がそれぞれ第１のコイル２ｌの前段側と第２のコイル３ｌの後段側に接続されている。
【００３８】
サージアブソーバ５ｕ及び５ｄは、それぞれ、入力部Ｃｕ又はＣｄから流入したサージに起因して、第２のコイル３ｌの後段側の電圧が第１のコイル２ｌの前段側の電圧よりも閾値以上高くなった場合に、当該サージを第２のコイル３ｌの後段側から第１のコイル２ｌの前段側に向かって帰還させる。これによって、サージをアレスタ部１側に帰還させ、アレスタ部１からアースに排出させる（詳細は後述）。
【００３９】
サージアブソーバ５としては、例えば、公知の任意のアレスタ素子やバリスタ素子を用いることができる。但し、より好適には、サージアブソーバ５としては、アレスタ素子を用いる。アレスタ素子は、寄生成分が小さいため、非動作状態における第１のノイズ除去フィルタ２のフィルタ特性や第２のノイズ除去フィルタ３のフィルタ特性への影響を抑制することができる。
【００４０】
他方、サージアブソーバ５としては、より好適には、第２のコイル３ｌの後段側から第１のコイル２ｌの前段側にのみ電流を通流させる一方向性のアレスタ素子を用いるか、又は当該一方向性の整流素子（例えば、ダイオード）とアレスタ素子とを直列接続する構成とする。これによって、サージ流入時に、サージアブソーバ５がアレスタ部１よりも先に動作することを防止することができる。
【００４１】
その他、サージアブソーバ５としては、より好適には、放電開始電圧が、第２のノイズ除去フィルタ３の共振により生ずるサージの振幅程度（図４等を参照して後述）のものを用いる。これによって、第２のノイズ除去フィルタ３の後段に異常に高い電圧が印加される前に、サージをアレスタ部１側に帰還させ、アレスタ部１からアースに排出させることができる。
【００４２】
［電源装置のサージ排出動作］
次に、図２〜図５を参照して、本実施形態に係る電源装置Ａが、サージを排出する際の動作について説明する。
【００４３】
図２は、本実施形態に係る電源装置Ａのサージの排出動作について説明する図である。
【００４４】
図２Ａは、入力部Ｃｕ及びＣｄから流入した直後における、サージの通流する方向（矢印Ｆ）を示し、図２Ｂは、第２のノイズ除去フィルタ３を通過した後における、サージの通流する方向（矢印Ｆ）を示す。
【００４５】
ここでは、一例として、落雷等によって発生したサージＦが、外部電源Ｓに接続された入力部Ｃｕから電源装置Ａ内に流入した際の動作を示す。
【００４６】
サージＦは、通常、流入時にはアースに対して大電圧を有するため、まず、図２Ａに示すように、アレスタ部１（アレスタ素子１ａｕ、バリスタ素子１ｂｕ）を動作させる。そのため、当該サージＦの大部分は、アレスタ部１を介してアースに排出される。しかしながら、この際、サージＦのノイズ除去フィルタ（第１のノイズ除去フィルタ２又は第２のノイズ除去フィルタ３）の共振周波数相当の成分等は、共振現象によって、当該ノイズ除去フィルタ側にも通流する。
【００４７】
その後、第２のノイズ除去フィルタ３を通過したサージＦは、図２Ｂに示すように、第１のノイズ除去フィルタ２（第１のコイル２ｌ）の前段よりも高電位となるため、サージアブソーバ５ｕを動作させ、当該サージアブソーバ５ｕを介して、第２のノイズ除去フィルタ３の後段側から第１のノイズ除去フィルタ２の前段側（第１のコイル２ｌ）に通流する。そして、第１のノイズ除去フィルタ２の前段側に戻ってきたサージＦは、アレスタ部１を介して、アースに排出される。
【００４８】
以下に、図３〜図５を参照して、図２中の各位置における電圧の時間的変化を説明する。
【００４９】
図３は、サージＦに共振が生じていないときの各位置の電圧波形を示す図である。図４は、図２中にサージアブソーバ５が配設されていないと仮定し（従来技術に相当）、当該回路において、サージＦに共振が生じたときの各位置の電圧波形を示す図である。図５は、図２（本実施形態に係る電源装置Ａ）に示した動作の際の各位置の電圧波形を示す図である。
【００５０】
図３Ａ、図４Ａ、図５Ａは、図２中の入力部Ｃｕに流入前の位置における電力ラインＬｕと電力ラインＬｄ間の電圧Ｖｉｎ（縦軸）の時間的変化を表す。又、図３Ｂ、図４Ｂ、図５Ｂは、図２中のアレスタ部１の位置における電力ラインＬｕと電力ラインＬｄ間の電圧Ｖ１（縦軸）の時間的変化を表す。図３Ｃ、図４Ｃ、図５Ｃは、図２中の第１のノイズ除去フィルタ２の位置における電力ラインＬｕと電力ラインＬｄ間の電圧Ｖ２（縦軸）の時間的変化を表す。図３Ｄ、図４Ｄ、図５Ｄは、図２中の第２のノイズ除去フィルタ３の位置における電力ラインＬｕと電力ラインＬｄ間の電圧Ｖ３（縦軸）の時間的変化を表す。尚、各図は、外部電源ＳからＶ０の電圧にて受電している際に、入力部ＣｕからサージＦが流入した状態を表している。
【００５１】
各図のＴ１、Ｔ２、Ｔ３、Ｔ４は、以下のタイミングを表す。
Ｔ１：入力部ＣｕにサージＦの流入が開始したタイミング
Ｔ２：アレスタ部１が放電動作を開始したタイミング
Ｔ３：入力部ＣｕへのサージＦの流入が終了したタイミング
Ｔ４：サージアブソーバ５ｕが動作を開始したタイミング
【００５２】
まず、図３を参照して、図２中において、サージＦに共振が発生せず、サージＦがすべてアレスタ部１から排出されると仮定した場合の電圧波形について、説明する。
【００５３】
この場合には、アレスタ部１の位置における電圧Ｖ１は、すべてのサージＦがアレスタ部１に排出されてアースに排出されるため、即座（Ｔ２のタイミング）に低下する。又、この場合には、サージＦは、第１及び第２のノイズ除去フィルタ３側には向かわないため、第１及び第２のノイズ除去フィルタ２、３の位置における電圧Ｖ２、Ｖ３は、略ゼロの状態が継続する。
【００５４】
次に、図４を参照して、図２中にサージアブソーバ５が配設されていないと仮定し、この際に第１のノイズ除去フィルタ２又は及び第２のノイズ除去フィルタ３でサージＦとの共振が生じた場合の電圧波形について、説明する。
【００５５】
この場合には、サージＦの共振周波数相当の成分は、アレスタ部１から排出されず、第１のノイズ除去フィルタ２又は及び第２のノイズ除去フィルタ３の側に流入する。
【００５６】
当該サージＦは、共振によって、第１及び第２のノイズ除去フィルタ２、３の位置において、共振周波数に応じた周波数及び振幅で脈動する（図４Ｃ、図４Ｄを参照）。又、当該サージＦは、共振によって、コイル（ここでは、２ｌ、３ｌ）とコンデンサ（ここでは、２ｃａ、２ｃｂ、３ｃａ）の間でエネルギの授受が継続的に行われるため、アレスタ部１の放電動作が開始した（Ｔ２のタイミング）以降も、高い電圧を維持した脈動状態にて長時間滞留することになる。
【００５７】
次に、図５を参照して、図２中の実際の電圧波形について、説明する。
【００５８】
この場合には、図４の場合と異なり、第２のノイズ除去フィルタ３の後段側の電圧が、第１のノイズ除去フィルタ２の前段側（アレスタ部１の位置）に対して、サージアブソーバ５ｕの放電開始電圧以上大きくなった時点（Ｔ４のタイミング）で、サージアブソーバ５ｕが動作する。その結果、第２のノイズ除去フィルタ３の後段側に滞留するサージＦは、サージアブソーバ５ｕを介して、アレスタ部１の接続位置に帰還し、これによって、アースに排出される。
【００５９】
更に、この場合には、入力部ＣｕからのサージＦの流入が終了（Ｔ３のタイミング）した後にも、第１又は第２のノイズ除去フィルタ２、３に残留するサージＦは、サージアブソーバ５ｕを介して、継続して、アースに排出される。尚、かかる現象は、一般的なアレスタ素子が有する続流の性質を利用したものである。つまり、本実施形態に係るアレスタ部１は、入力部Ｃｕから電源装置Ａ内に流入した際の高い波高値のサージＦによって、一旦動作状態となるため、第１又は第２のノイズ除去フィルタ２、３に残留する波高値が低下したサージについても、アース側に排出することができる。
【００６０】
本実施形態に係る電源装置Ａにおいては、このようにして、共振によりノイズ除去フィルタに流入したサージも、短時間で即座に解消することができる。
【００６１】
以上のように、本実施形態に係る電源装置Ａによれば、入力部Ｃから第１及び第２のノイズ除去フィルタ２、３側に流入したサージ（特に、第１及び第２のノイズ除去フィルタ２、３の共振周波数成分）を、サージアブソーバ５を介して、第１のノイズ除去フィルタ２の前段側に帰還させ、アレスタ部１を介してアースに排出させる構成を有する。
【００６２】
これによって、共振に起因して第１及び第２のノイズ除去フィルタ２、３側に流入したサージを早期にアースに排出することが可能である。これにより、電源装置Ａ内の内部回路（例えば、電力変換回路４）への過電圧の印加時間も低減するため、当該内部回路の破損を防止することもできる。
【００６３】
尚、かかる構成は、実質的にサージアブソーバ５を追加するのみで実現することが可能であるため、低コスト化や小型化にも資する。
【００６４】
更に、本実施形態に係る電源装置Ａによれば、第２のコイル３ｌの共振周波数が、第１のコイル２ｌの共振周波数よりも大きくなるように、第１及び第２のノイズ除去フィルタ２、３のフィルタ設計を行っている。
【００６５】
これによって、共振に起因して第１及び第２のノイズ除去フィルタ２、３側に流入したサージを第１のノイズ除去フィルタ２側から第２のノイズ除去フィルタ３側に速やかに移動させることができる。その結果、サージの滞留時間をより短時間化することが可能である。
【００６６】
（その他の実施形態）
本発明は、上記実施形態に限らず、種々に変形態様が考えられる。
【００６７】
上記実施形態では、アレスタ部１の一例として、アレスタ素子１ａｕ、１ａｄとバリスタ素子１ｂｕ、１ｂｄとを直列接続して構成する態様を示した。しかしながら、アレスタ部１は、アレスタ素子１ａｕ、１ａｄのみで構成されてもよいのは、勿論である。
【００６８】
又、上記実施形態では、第１のノイズ除去フィルタ２及び第２のノイズ除去フィルタ３の一例として、π型のＬＣフィルタを示したが、これらのフィルタ構成は、種々に変形されてもよい。例えば、第１のノイズ除去フィルタ２及び第２のノイズ除去フィルタ３を構成する第１のコイル２ｌ及び第２のコイル３ｌは、コモンモードコイルに代えて、ノーマルモードコイル等が用いられてもよい。又、ノイズ除去フィルタを構成するコンデンサは、電力ラインＬｕと電力ラインＬｄ間のみに設けられてもよい。又、かかるコンデンサは、素子として実装する構成に代えて、電力ラインＬｕと電力ラインＬｄの間の寄生成分等のみで構成されてもよい。
【００６９】
又、上記実施形態では、サージアブソーバ５の一例として、正極側の電力ラインＬｕと負極側の電力ラインＬｄの両方に接続する態様を示した。しかしながら、外部電源Ｓの種類や電線構成によっては、サージアブソーバ５を一方の電力ラインＬのみに接続する構成としてもよい。例えば、外部電源Ｓの一の電線がアースされている場合、当該電線に対応する電力ラインＬには、サージアブソーバ５を接続しない構成としてもよい。同様に、アレスタ部１についても、一方の電力ラインＬのみに接続する構成としてもよい。
【００７０】
又、上記実施形態では、外部電源Ｓの一例として、単相交流の商用交流電源を示した。しかしながら、電源装置Ａに接続される外部電源Ｓは、三相交流電源や直流電源等が適用されてもよいのは、勿論である。又、かかる外部電源Ｓは、商用交流電源に限らず、発電等を行う外部機器であってもよい。
【００７１】
又、上記実施形態では、電源装置Ａの構成の一例として、第１及び第２のノイズ除去フィルタ２、３の二段階のノイズ除去フィルタを設ける態様を示した。しかしながら、ノイズ除去フィルタは、二段階に限らず、三段階や四段階の構成としてもよい。かかる場合には、サージアブソーバ５は、入力部Ｃから一段目のノイズ除去フィルタの前段と三段目のノイズ除去フィルタの後段とを接続するように構成してもよい。
【００７２】
以上、本発明の具体例を詳細に説明したが、これらは例示にすぎず、請求の範囲を限定するものではない。請求の範囲に記載の技術には、以上に例示した具体例を様々に変形、変更したものが含まれる。
【産業上の利用可能性】
【００７３】
本開示に係る電源装置によれば、複数段のノイズ除去フィルタを適用した際にも、外部から流入するサージを効果的に抑制することができる。
【符号の説明】
【００７４】
Ｃｕ、Ｃｄ  入力部
Ｌｕ、Ｌｄ  電力ライン
１  アレスタ部
１ａｕ、１ａｄ  アレスタ素子
１ｂｕ、１ｂｄ  バリスタ素子
２  第１のノイズ除去フィルタ
２ｌ  第１のコイル
２ｃａ、２ｃｂ  コンデンサ
３  第２のノイズ除去フィルタ
３ｌ  第２のコイル
３ｃａ  コンデンサ
４  電力変換回路
５ｕ、５ｄ  サージアブソーバ
【図１】
2019047699.tif 000003
【図２】
2019047699.tif 000004
【図３】
2019047699.tif 000005
【図４】
2019047699.tif 000006
【図５】
2019047699.tif 000007